(57)【要約】光ディスクを記録するための装置は、複数のパラメータ、特に読み出しブロックにより生成される記録データの読み出し中に測定される復元された書き込みデータのジターを考慮する記録レーザビームの出力を制御する制御回路を有する。さらに、この出力は、光がスイッチオンされる閾値電流を測定することにより、レーザ筺体内の温度の一機能として補正されてもよい。レーザ出力の補正に利用される他のパラメータは、ディスクの走査スピードとディスクティルト量を考慮したものがある。用途：ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）
2005524187.tif 000002
【特許請求の範囲】
【請求項１】
記録エネルギービームを生成する記録ヘッドユニットにより書き込み可能な記録媒体上へのデータの記録装置であって、
前記記録ビームの強度を制御する制御アセンブリと、
記録信号の品質を測定する測定回路を有する、前記制御アセンブリに制御データを供給する測定群と、
前記制御アセンブリに以前のデータを供給する前記媒体に関するデータベースとを有し、前記測定群は前記記録信号の追加的測定回路を有することを特徴とする記録装置。
【請求項２】
請求項１記載の記録装置であって、前記測定回路の少なくとも１つは、リアルタイム記録状態から測定を通じてパラメータを決定することを特徴とする記録装置。
【請求項３】
請求項１または２記載の記録装置であって、前記測定回路の少なくとも１つは、ジター測定回路であることを特徴とする記録装置。
【請求項４】
請求項１乃至３何れか一項記載の記録装置であって、前記測定回路の少なくとも１つは、記録中リアルタイムで動作する温度測定回路であることを特徴とする記録装置。
【請求項５】
請求項４記載の記録装置であって、前記温度測定回路は、半導体レーザにより必要とされる閾値電流を測定する回路の形態をとることを特徴とする記録装置。
【請求項６】
請求項１乃至５何れか一項記載の記録装置であって、前記制御アセンブリに供給されるパラメータの少なくとも１つは、記録が行われる走査スピードに関するものであることを特徴とする記録装置。
【請求項７】
請求項１乃至６何れか一項記載の記録装置であって、前記測定回路の少なくとも１つは、記録中リアルタイムで動作するティルト回路であることを特徴とする記録装置。
【請求項８】
請求項１乃至７何れか一項記載の記録装置であって、前記データベースの少なくとも一部は、前記媒体の位置に含まれることを特徴とする記録装置。
【請求項９】
請求項１乃至８何れか一項記載の記録装置であって、前記データベースの少なくとも一部は、該記録装置のメモリ回路の１つに含まれることを特徴とする記録装置。
【請求項１０】
請求項１乃至９何れか一項記載の記録装置であって、前記記録媒体は光ディスクの形態をとることを特徴とする記録装置。
【請求項１１】
請求項１乃至１０何れか一項記載の記録装置において実現される記録方法であって、
記録対象の媒体を挿入するステップと、
前記媒体を識別するステップと、
前記媒体が記録に適していない場合、前記媒体を拒絶するステップと、
前記以前のデータに基づきテスト記録するステップと、
前記テスト記録を読み出すステップと、
前記記録信号のレベルに基づき前記記録出力を決定するステップと、
ジターデータの一機能として前記記録出力の可能な補正を入力するステップと、
温度、前記ディスクの走査スピード、ディスクティルト量、あるいは前記記録データの品質に実質的に影響を及ぼす他の任意のパラメータの一機能として可能な補正を入力するステップとを有することを特徴とする方法。
【請求項１２】
請求項１１記載の記録方法であって、前記温度、走査スピードあるいは他の任意のパラメータの一機能としての補正に関するステップは、データの記録中リアルタイムで行われることを特徴とする方法。
【請求項１３】
請求項１１または１２記載の記録方法の実現により取得される記録媒体。
【請求項１４】
請求項１３記載の記録媒体であって、該記録媒体は光ディスクの形態をとることを特徴とする記録媒体。
【発明の詳細な説明】
【技術分野】
【０００１】
本発明は、記録エネルギービームを生成する記録ヘッドによる書き込みが可能であり、
−記録ビームの強度を制御する制御部と、
−前記制御部に制御データを供給し、記録信号のレベルを測定する測定回路を有する測定セットと、
−記録媒体に関する前記制御部への以前のデータを供給するデータベースとを有し、記録媒体へのデータの記録装置に関する。
【背景技術】
【０００２】
本発明は、レーザビームパルスによる光ディスクの記録において特に興味深い応用を有する。一方では関連する各種メディアにより、他方では記録装置の機械的、電子的及び光学的短所により、レーザパルスに対して所定のパラメータを利用することは困難である。従って、補正を行う必要がある。この問題に関して、欧州特許文献ＥＰ０７６２３９９を参照することができる。当該文献では、以前の記録試行において、記録信号のレベルに基づく記録パルスの出力の決定が提案されている。
【発明の開示】
【発明が解決しようとする課題】
【０００３】
しかしながら、このような決定は、多くの場合、良質な記録の取得に十分なものではないということが知られている。商業的に入手可能な記録可能（ｒｅｃｏｒｄａｂｌｅ）及び書き換え可能（ｒｅｗｒｉｔａｂｌｅ）な各自が特定の特性を有する多数の光メディアに加えて、記録処理は周囲の温度、半導体レーザの経年、明確には予測不可能な他の要素による影響を大きく受ける。
【０００４】
本発明は、記録信号のレベルに関連するもの以外の他の測定手段を考慮に入れながら、良質な記録の取得を可能にする導入部で定義されたタイプの装置を提案する。
【０００５】
この目的のため、そのような記録装置は、これら測定手段が記録信号の追加的な測定回路を有するという点で特徴的である。
【０００６】
好適な実施例では、本装置は、測定回路の少なくとも１つがリアルタイムでの記録状態から測定によりパラメータを決定するという点で特徴的である。
【０００７】
本発明のアイデアは、メディア製造業者により指定されるパラメータだけでなく、同一のディスク上で行われた以前の記録段階において確立されたパラメータもまた含む複数のパラメータの利用及び管理を実行することから構成される。
【０００８】
本発明はまた、以下のステップを有するという点で特徴的な記録方法に関する。すなわち、
−記録対象の媒体を挿入するステップと、
−前記媒体を識別するステップと、
−前記媒体が記録に適していない場合、前記媒体を拒絶するステップと、
−デフォルト記録パラメータ群に基づきテスト記録するステップと、
−前記テスト記録を読取るステップと、
−記録信号のレベルに基づき記録出力を決定するステップと、
−復元データに伴うタイミングジターに応じて、前記記録出力を補正するステップと、
−特に温度などの複数の測定パラメータの一機能として前記記録出力を補正するステップとを有する。
【０００９】
ディスクスピードやディスクの傾き量などの他の測定パラメータの一機能として記録パラメータを補正するステップを追加することが可能である。
【００１０】
本発明はまた、当該方法を通じて取得したデータを含む記録媒体に関する。
【００１１】
本発明の上記及び他の特徴は、以下で説明される実施例を参照しながら非限定的な例により明確及び解明されるであろう。
【発明を実施するための最良の形態】
【００１２】
図１は、本発明による装置１を示す。本装置１は、例えば、スパイラル形状のらせん状トラックに沿って記録媒体５上にデータを記録するためのものである。この媒体は、好適には、その光学的性質が光電子ブロック１０からのレーザビームパルスにより変更される光ディスクである。このブロック１０は、データの光ディスク５への記録と共に、そこに記録されているデータの読取を可能にする少なくともレーザダイオード（図示せず）を有する。この照射はまた、エッチング記録処理をカバーする。ブロック１０は、エッチングされたトラックを正確に追跡し、当該ブロックの位置ずれを許容するレーザビームをフォーカスする機構群を有する。この位置ずれはモータ１１により表される。ディスク５は、モータ１２により回転される。参照番号１４はまた、媒体５の搭載に利用されるモータを示す。本発明による装置は、マイクロプロセッサアセンブリ１７により管理される。このアセンブリは、特に、マイクロプロセッサ１８と書き換え可能なＥＥＰＲＯＭメモリ１９を有する。このアセンブリ１７により利用及び生成されるデータは、共通データライン２５（ＢＵＳライン）を介し送信される。
【００１３】
まず、ブロック１０からの信号が信号プリプロセッサ２８により処理される。このプロセッサからの信号は、以降、光ディスク５の構成を定義するフォーマット検出器３０により処理される。このフォーマット検出器は、チャネルデコーダ３２にデータを供給し、チャネルデコーダ３２は、特に、前記装置の各種スレーブをプリプロセッサ２８からのデータを利用しながら制御するサーボ制御グループ３５にデータを供給する。モータへの印加前に、これら信号はアンプアセンブリ４０により増幅される。一ユニットが、ディスク５にエッチング処理するレーザの出力を制御する。当該ユニットは、書き込み方針回路３７とレーザ出力制御回路３８に先行するチャネル符号化装置３６を有する。
【００１４】
ライン２５に接続される処理ブロック４５は、ユーザによる本装置の各種機能の利用を可能にする。これは、端末５０により表される。このブロックは、メモリアセンブリ５２を利用する。必要に応じて、抽出されたデータはまた、音声/映像プロセッサ５４により処理することもできる。処理ブロック４５は、符号化/復号化回路５６、バッファメモリ管理回路５８、及び当該利用のための信号レベルを考慮することを特に補償するインタフェース回路６０を有する。
【００１５】
図２は、本発明に関する要素を図式的に示す。前述の図における要素と共通の要素は、同様の参照番号により参照される。図１に示され、本発明の実現を保証する各種要素に含まれる機能を有するブロック７０が示される。当該ブロックは、本発明により利用される各種パラメータの一機能として記録レーザビームの出力を決定する。
−ディスク内側からその周辺部に進行するレーザスポットの走査速度
−ジター  ジターは再生されるバイナリデータと基準として使用される再生クロック周波数との同期中に発生するフェーズエラーを考慮しながら測定される。図３は、このジター値がレーザビームの強度の補正をどのように決定するかを示す。複数の連続する記録処理は、以前に決定された値Ｐから始まるレーザ出力の増加（または減少）と共に、この値を互いに必ずしも等しくはないステップΔＰだけインクリメントすることにより実行される。各出力レベルに対して、ジターＥｒｒφを、記録データを読み出すことにより測定する。補間処理により、最小誤差を与えるＰｏｐｔ＿ｇが決定される。図において、この補間処理は、ジター測定ポイントを最適に通過し、その交点がＤｏｐｔ（２つの値の増分間の出力値を与える出力変化の間の距離）を生成する２つの直線Ｄ１とＤ２により確立される。
【００１６】
この値は、出力直線ＤＰＷ上で確立される。最小のジター値を検出する他の方法がまた適用されてもよい。
−ディスク上の欠陥  レーザビームが指紋などのディスク表面上の欠陥を通過しなければならないとき、場合によっては書き込みにより大きな出力が要求されるとき、記録出力は調整を必要とする。
−レーザの温度  ライトを単にスイッチオンしたときのような、いわゆるバイアスパワーに対応するレーザダイオードに供給する電流を測定することによりレーザ温度を測定することができる。この電流はレーザドライバ３８によりレーザダイオードに供給される。この電流値の一機能として出力補正が指示される。この処理は、レーザパルス間のバイアス電流を測定することにより、実際の記録段階中継続される。しかしながら、レーザ温度の推定はここで述べられた方法に限定されるものでなく、例えば、温度センサを利用することにより行われてもよい。
【００１７】
記録レーザ出力の決定は、ディスク上の専用テスト領域へのテストパターンシーケンスの書き込みから構成されるカリブレーション処理、あるいは通常処理中に記録される情報の利用を伴う。後者は、光ユニットがインタフェース５０を介してデータを受信しないアイドル期間に読み出すことができる。テスト領域に関して、光メディア規格は、ディスク内径に位置し、場合によってはディスクエッジ近傍に配置される少なくとも１つの第２テスト領域を提供する。
【００１８】
本発明は、特に、ＯＰＣ（Ｏｐｔｉｍａｌ  Ｐｏｗｅｒ  Ｃｏｎｔｒｏｌ）と呼ばれるレーザビームの照射を制御する出力制御手順に関する。光ディスクの枠組みにおいてより詳細に説明される本発明による装置の動作は、記録可能及び書き換え可能なＣＤやＤＶＤ、あるいは他の任意の記録特性を有する光メディアに対する様々な規格を満足する。そのようなメディアの例としては、ＣＤ−Ｒ、ＣＤ−ＲＷ、ＤＤ−Ｒ、ＤＤ−ＲＷ、ＤＶＤ−Ｒ、ＤＶＤ−ＲＷ、ＤＶＤ−ＲＡＭ、ＤＶＤ＋Ｒ、ＤＶＤ＋ＲＷ、ブルーレイディスクなどがあげられる。本発明の用途は、特に、ＤＶＤ＋Ｒレコーダの多数のパラメータに基づきレーザ出力がどのように調整可能であるかを示すことにより、例示を通じて以下で説明される。以下の動作シーケンスが実行される。
１．媒体（光ディスク）５の挿入により開始される。
２．当該媒体及びその製造業者の識別が検索される。
３．ディスクのリードイン領域に格納されているパラメータが復元され、当該領域にデータが存在しない場合、これらのパラメータはデフォルト値に設定される。
４．ＥＥＰＲＯＭメモリ１９に以前に格納された記録パラメータの復元  メモリ１９は、同一タイプの同一製造業者によるディスクを利用する以前の記録セッションにおけるそのようなパラメータにより、メモリ１９がロードされてきた。これらのパラメータは、新たに挿入される光ディスク５が検出されるデータベースを構成してもよい。
５．新たな出力カリブレーション処理の実行対象となるシーケンスを決定するため、ＯＰＣカウント処理の読み出し
６．ＯＰＣ処理の実行
７．ＥＥＰＲＯＭメモリ１９におけるパラメータの更新
しかしながら、本装置に挿入された光ディスク上のＯＰＣシーケンスの処理前に、以下の可能性を検討する必要がある。
Ａ．挿入されたディスクは完全なブランクディスクであり、このため当該処理は通常の形式により開始されてもよい。
Ｂ．挿入されたディスクは部分的に記録済みのものであり、少なくとも出力カリブレーション処理を実行するのに十分な領域が残っている。ＯＰＣ処理は実行され、以前の記録処理においてメモリ１９に格納されたパラメータが利用される。
Ｃ．ディスクがすでに書き込みされ、ＯＰＣ処理を実行する領域がもはやない状況の検証  後者の場合には、新たな記録が少なくとも特定のパラメータによりデフォルトで行われるか、あるいは当該記録処理が中止されるかどうか決定される。
Ｄ．挿入されたディスクが完全に記録されたものであり、完了されたものとして認識される。当該エッチング処理を開始する必要はない。
【００１９】
各種システム情報（例えば、識別データや記録パラメータなど）とＥＥＰＲＯＭメモリ１９に含まれるデータを利用可能にするため、ＯＰＣカウント位置の読取りが行われる。この領域では、以前のカリブレーション処理ですでに利用されたＥＣＣブロックのブロック数が検出される。カリブレーションシーケンスが開始される位置ＰＳＮｏｐｃ＿ｓｔａｒｔが以下のように決定される。すなわち、
ＰＳＮｏｐｃ＿ｓｔａｒｔ＝２３４８０＋４×（２７４８０−ＰＳＮｉｃｚ＿ｆｉｒｓｔ）
ただし、ＰＳＮｉｃｚ＿ｆｉｒｓｔは、カウント領域の第１エンプティセクタの物理的アドレスを表す。
［表示記録パラメータのロード処理］
媒体に対する記録処理に関する表示値が存在しない場合、デフォルトによる値がＥＥＰＲＯＭメモリ１９に含まれるとみなされる。これらの値は、ディスク書き込みに要する走査スピードに対して選ばれる。
【００２０】
【表１】
2005524187.tif 000003
係数Ｋλ＿ｄｅｆは、レーザの波長を考慮したレーザ出力の正規化依存を表す。名目値は以下により与えられる。すなわち、
【００２１】
【数１】
2005524187.tif 000004
周囲の温度を考慮したい場合、以下の式を用いた補正が行われてもよい。
【００２２】
【数２】
2005524187.tif 000005
ただし、記号の意味とそれらのデフォルト値は、以下の表により与えられる。
【００２３】
【表２】
2005524187.tif 000006
レーザドライバにより利用されるｓｅｔｐｏｉｎｔとして表される記録出力は、以下の式により記述することができる。すなわち、
【００２４】
【数３】
2005524187.tif 000007
この式において、
【００２５】
【表３】
2005524187.tif 000008
【００２６】
【表４】
2005524187.tif 000009
となる。
【００２７】
ＤＶＤ＋Ｒメディアに対する名目上のレーザ出力の典型的な値は、Ｐｎｏｍ＝１０ｍＷである。補正係数Ｋｅｘｐは、例えば、ディスクの透明基板に入る光の拡散などによる光力の様々な損失を補償するため実験的に決定される。これは、開始パラメータＶＥＭＯＳ及びＤＶＤ＋Ｒタイプのレコーダにおいて行われる測定誤差を補償する。
【００２８】
レーザ出力の計算は、式（２）に与えられるもの以上の変数を考慮するようにしてもよい。例えば、さらなる２つの係数ＫｔｉｌｔとＫａｂｅｒｒはそれぞれ、ディスクのティルト量と光学系における収差量の補正に利用可能である。このとき式（２）は、以下のようになる。すなわち、
【００２９】
【数４】
2005524187.tif 000010
さらに、パラメータの中には、記録前に行われるカリブレーション処理中だけでなく、記録中リアルタイムで調製されるものもある。これは、例えば、レーザ筺体内部の温度が動作中に大きな変動を示し、記録スピードがディスク上の様々な位置において変化する高速で記録を行うデータドライブにおける場合である。あるいは、レコーダは、アイドル期間中書き込みデータをチェックし、ジター測定に基づき補正係数を決定してもよい。
【図面の簡単な説明】
【００３０】
【図１】図１は、本発明による装置を示す。
【図２】図２は、本発明の測定手段を説明するための図である。
【図３】図３は、出力補正がジターの一機能としてどのように評価されるかを示す。
【図１】
2005524187.tif 000011
【図２】
2005524187.tif 000012
【図３】
2005524187.tif 000013
【国際調査報告】
2005524187.tif 000014
2005524187.tif 000015
2005524187.tif 000016